(57)【要約】【課題】フレキシブルフラットケーブルを凸湾曲させて両端の端子部をコネクタに接続する際に、フレキシブルフラットケーブルが表裏反転していることに気付かないで両端の端子部をコネクタに誤挿入する恐れがない干渉片付きフレキシブルフラットケーブルを提供する。【解決手段】長さ方向両端部の片面に線状導体１ａの両端部を露出させて端子部１ｄ，１ｄを形成した帯状のフレキシブルフラットケーブル１であって、これを反対面側から片面側に向かって凸湾曲させたときに一対の干渉片２，２の先端部２ａ，２ａが互いに干渉するように、一対の干渉片２，２の基部２ｂ，２ｂをフレキシブルフラットケーブル１の長さ方向両端部の反対面に固着した構成の干渉片付きフレキシブルフラットケーブルとする。【選択図】図４
2012190723.tif 000002
【特許請求の範囲】
【請求項１】
長さ方向両端部の片面に線状導体の両端部を露出させて端子部を形成した帯状のフレキシブルフラットケーブルであって、このフレキシブルフラットケーブルを反対面側から片面側に向かって凸湾曲させたときに一対の干渉片の先端部が互いに干渉するように、一対の干渉片の基部をフレキシブルフラットケーブルの長さ方向両端部の反対面に固着したことを特徴とする干渉片付きフレキシブルフラットケーブル。
【請求項２】
一対の干渉片が、それぞれの基部の近傍箇所においてフレキシブルフラットケーブルの反対面から斜めに立ち上がる方向に折り曲げられていることを特徴とする請求項１に記載の干渉片付きフレキシブルフラットケーブル。
【請求項３】
一対の干渉片の先端が凹凸形状に切断されていることを特徴とする請求項１又は請求項２に記載の干渉片付きフレキシブルフラットケーブル。
【発明の詳細な説明】
【技術分野】
【０００１】
本発明は、コネクタに接続する際にフレキシブルフラットケーブルの表側と裏側を逆にして両端の端子部を誤挿入することがないように改良した、干渉片付きフレキシブルフラットケーブルに関する。
【背景技術】
【０００２】
従来より、導体と、導体を被覆した絶縁部と、導体の端末を露出させた端末接続部と、端末接続部の近傍の絶縁部に沿って装着された補強板とからなるフレキシブルフラットケーブルにおいて、上記補強板が、絶縁部に固着された挿入領域と、絶縁部に固着されない非挿入領域と、これら挿入領域と非挿入領域との境界付近に形成された折り曲げ部とを備え、非挿入領域の幅が挿入領域の幅より広く形成されたフレキシブルフラットケーブルが知られている（特許文献１）。
【０００３】
また、少なくとも一端側の平角導体が絶縁体層から露出されたフレキシブルフラットケーブルにおいて、露出された平角導体部分から絶縁体層側に掛けての少なくとも片面側に、低粘着性の接着剤層を介して、導体保護用フィルムシートを剥ぎ取り可能に貼り付けたフレキシブルフラットケーブルも知られている（特許文献２）。
【０００４】
そして、導体を被覆した絶縁部と、導体の端末を露出した端末部と、端末部に近設した絶縁部に接着される接着部を有して絶縁部を補強する補強板とを備えたフレキシブルフラットケーブルにおいて、上記接着部と略同一平面内に形成されると共に上記絶縁部に接着されない非接着部によって補強板に開放端を形成したフレキシブルフラットケーブルも知られている（特許文献３）。
【０００５】
更に、鋸歯状の切欠部が形成された補強板を端部に貼り付けたフレキシブルフラットケーブルも知られている（特許文献４）。
【先行技術文献】
【特許文献】
【０００６】
【特許文献１】特開２００８−１８１７７２号公報
【特許文献２】特開２００５−２５９４８０号公報
【特許文献３】特開２００５−４４５９７号公報
【特許文献４】実開平７−３６３７４号公報
【発明の概要】
【発明が解決しようとする課題】
【０００７】
しかしながら、前記特許文献１のフレキシブルフラットケーブルは、補強板の折り曲げられた非挿入領域を指で掴んでコネクタへの脱着を容易に行うことはできるが、フレキシブルフラットケーブルが反転して表側と裏側が逆になっていても、端末接続部のコネクタへの挿入がし辛くならないため、作業者はフレキシブルフラットケーブルが表裏反転していることに気付かず、そのまま端末接続部をコネクタへ誤挿入する恐れがあった。このように誤挿入すると、機器類の故障の要因となるので、誤挿入の防止は極めて重要である。
【０００８】
また、前記特許文献２のフレキシブルフラットケーブルは、露出した平角導体部分の損傷を導体保護用フィルムシートによって防止でき、前記特許文献３のフレキシブルフラットケーブルは、補強板に開放端を形成することで劣化による断線を低減でき、前記特許文献４のフレキシブルフラットケーブルは、補強板の鋸歯状の切欠部によって断線を防止できるというものの、これらのフレキシブルフラットケーブルも、表裏反転によるコネクタへの誤挿入を防止する手段を持たないため、特許文献１のフレキシブルフラットケーブルと同様、誤挿入を防止できないという問題があった。
【０００９】
本発明は上記事情の下になされたもので、その解決しようとする課題は、フレキシブルフラットケーブルを凸湾曲させて両端の端子部をコネクタに接続する際に、フレキシブルフラットケーブルが表裏反転していることに気付かないで両端の端子部をコネクタに誤挿入する恐れがない、干渉片付きフレキシブルフラットケーブルを提供することにある。
【課題を解決するための手段】
【００１０】
上記課題を解決するため、本発明に係る干渉片付きフレキシブルフラットケーブルは、長さ方向両端部の片面に線状導体の両端部を露出させて端子部を形成した帯状のフレキシブルフラットケーブルであって、このフレキシブルフラットケーブルを反対面側から片面側に向かって凸湾曲させたときに一対の干渉片の先端部が互いに干渉するように、一対の干渉片の基部をフレキシブルフラットケーブルの長さ方向両端部の反対面に固着したことを特徴とするものである。
【００１１】
本発明の干渉片付きフレキシブルフラットケーブルでは、一対の干渉片が、それぞれの基部の近傍箇所においてフレキシブルフラットケーブルの反対面から斜めに立ち上がる方向に折り曲げられていることが望ましい。そして、一対の干渉片の先端部が凹凸形状に形成されていることが望ましい。
ここに「凹凸形状」とは、後述するように、二等辺三角形の凹部と凸部が交互に連続する三角波形状や、四角形の凹部と凸部が交互に連続する四角波形状や、二等辺台形の凹部と凸部が交互に連続する台形波形状や、丸波形状など、互いに干渉しやすい全ての凹凸形状を包含する用語である。
【発明の効果】
【００１２】
本発明に係る干渉片付きフレキシブルフラットケーブルは、表裏反転させないで片面側から反対面側に凸湾曲させて両端の端子部をコネクタに正しく挿入する場合には、一対の干渉片が凸湾曲するフレキシブルフラットケーブルの外周側へ突き出して双方の干渉片の先端部が大きく離反し、互いに干渉しないため、フレキシブルフラットケーブルを容易に凸湾曲させて両端の端子部をコネクタに挿入することができる。けれども、誤ってフレキシブルフラットケーブルを表裏反転させて反対面側から片面側に凸湾曲させながら両端の端子部をコネクタに挿入しようとすると、一対の干渉片が凸湾曲するフレキシブルフラットケーブルの内周側へ突き出して双方の干渉片の先端部が接近し、凸湾曲させる途中で双方の先端部が互いに干渉して、フレキシブルフラットケーブルをそれ以上に凸湾曲させ難くなるため、両端の端子部をコネクタに挿入する作業がし辛くなる。従って、作業者はフレキシブルフラットケーブルが表裏反転していることに気付くので、端子部のコネクタへの誤挿入を防止することができる。
【００１３】
また、一対の干渉片が、それぞれの基部の近傍箇所においてフレキシブルフラットケーブルの反対面から斜めに立ち上がる方向に折り曲げられていると、誤ってフレキシブルフラットケーブルを表裏反転させて凸湾曲させたときに、双方の干渉片が互いに干渉しやすい角度でフレキシブルフラットケーブルの内周側へ突き出すことになり、更に双方の干渉片の先端部が凹凸形状に形成されていると、一方の干渉片の先端部の凹部と他方の干渉片の先端部の凸部が噛み合って強く干渉することになるため、フレキシブルフラットケーブルを凸湾曲させて端子部をコネクタに誤挿入する作業が極めてし辛くなり、誤挿入防止効果が一層顕著になる。
【図面の簡単な説明】
【００１４】
【図１】本発明の一実施形態に係る干渉片付きフレキシブルフラットケーブルの斜視図である。
【図２】同干渉片付きフレキシブルフラットケーブルの平面図である。
【図３】同干渉片付きフレキシブルフラットケーブルの底面図である。
【図４】同干渉片付きフレキシブルフラットケーブルの縦断面図である。
【図５】（ａ）は同干渉片付きフレキシブルフラットケーブルを表裏反転させることなく凸湾曲させて両端の端子部をコネクタに正しく挿入、接続したところを示す概略図、（ｂ）は同干渉片付きフレキシブルフラットケーブルを表裏反転させて凸湾曲させながら端子部をコネクタに挿入しようとしたところを示す概略図である。
【図６】（ａ）は同干渉片付きフレキシブルフラットケーブルに用いる干渉片の説明図、（ｂ）（ｃ）（ｄ）は他の干渉片の説明図である。
【発明を実施するための形態】
【００１５】
以下、図面を参照して本発明の具体的な実施形態を詳細に説明する。
【００１６】
図１、図２、図３、図４は、本発明の一実施形態に係る干渉片付きフレキシブルフラットケーブルの斜視図、平面図、底面図、縦断面図であって、１はフレキシブルフラットケーブル、２，２は一対の干渉片を示している。
【００１７】
フレキシブルフラットケーブル１は、図３，図４に示すように、複数の線状導体１ａを並列に設け、これらの線状導体１ａを上下の帯状の絶縁体層１ｂ，１ｃで被覆したものであって、下面側（片面側）の絶縁体層１ｃの両端部は切除されている。そして、この下面側（片面側）の切除された両端部に、各線状導体１ａの両端部を露出させて、端子部１ｄ，１ｄを形成している。
【００１８】
線状導体１ａは、具体的には錫メッキした軟質の銅箔からなるものであって、極細線状に形成されており、所定のピッチで並列に設けられている。また、線状導体１ａを被覆、絶縁する上下の絶縁体層１ｂ，１ｃは、所定の厚さを有するポリエステルフィルムからなるものであり、これらの絶縁体層１ｂ，１ｃは線状導体１ａを挟んで熱圧着により一体化されている。絶縁体層１ｂ，１ｃの材料フィルムとしては、ポリエステルフィルム以外の例えばポリオレフィン系フィルムなどの電気絶縁性の熱可塑性樹脂フィルムも勿論使用可能である。
【００１９】
一対の干渉片２，２は、誤ってフレキシブルフラットケーブル１を表裏反転させて上面側（反対面側）から下面側（片面側）に凸湾曲させながら両端の端子部１ｄ，１ｄをコネクタに誤挿入しようとしたときに、干渉片２，２の先端部２ａ，２ａが互いに干渉してフレキシブルフラットケーブル１の凸湾曲を妨げ、端子部１ｄ，１ｄのコネクタへの誤挿入を防止する役目を果たすものであって、双方の干渉片２，２の基部２ｂ，２ｂがフレキシブルフラットケーブル１の長さ方向両端部の上面（反対面）に接着固定されている。そして、図１，図４に示すように、双方の干渉片２，２は、それぞれの基部２ｂ，２ｂの近傍箇所において、フレキシブルフラットケーブル１の上面（反対面）から斜めに立ち上がる方向に折り曲げられている。これらの干渉片２，２の基部２ｂ，２ｂは、フレキシブルフラットケーブル１の両端部の端子部１ｄ，１ｄをコネクタに挿入、接続するときに、両端部が屈曲変形しないように補強する補強板としての役目も兼ねている。
【００２０】
これらの干渉片２，２の先端部２ａ，２ａは、図１，図２に示すような凹凸形状、即ち、二等辺三角形の凹部と凸部が交互に連続する三角波形状に切断されており、そのため、誤ってフレキシブルフラットケーブル１を表裏反転させて凸湾曲させると、一方の干渉片２の先端部２ａの凹部と他方の干渉片２の先端部２ａの凸部が噛み合って強く干渉し、フレキシブルフラットケーブル１の凸湾曲を確実に妨げることができるようになっている。
【００２１】
上記の干渉片２，２は、図６の（ａ）に示すように、フレキシブルフラットケーブルと同じ大きさの合成樹脂テープ２０、例えば、厚さが０．２〜０．３ｍｍ程度の弾性のあるポリエステルテープ２０の中央部を、三角波線２０ａに沿ってジグザグに切断して作製されたものであるが、本発明においては、これ以外の図６の（ｂ）〜（ｄ）に示すような干渉しやすい種々の凹凸形状の先端部を形成した干渉片２，２も使用される。
【００２２】
即ち、図６の（ｂ）に示す干渉片２，２は、上記合成樹脂テープ２０の中央部を四角波線２０ｂに沿って切断することにより、四角形の凹部と凸部が交互に連続する四角波形状の先端部を形成したものであり、図６の（ｃ）に示す干渉片２，２は、上記合成樹脂テープ２０の中央部を台形波線２０ｃに沿って切断することにより、二等辺台形の凹部と凸部が交互に連続する台形波形状の先端部を形成したものであり、図６の（ｄ）に示す干渉片２，２は、上記合成樹脂テープ２０の中央部を丸波線２０ｄに沿って切断することにより、丸波形状の先端部を形成したものである。
【００２３】
図５の（ａ）は上記構成の干渉片付きフレキシブルフラットケーブルを凸湾曲させてコネクタに接続したところを示す概略図、図５の（ｂ）は上記構成の干渉片付きフレキシブルフラットケーブルを表裏反転させて凸湾曲させながらコネクタに接続しようとするところを示す概略図である。
【００２４】
即ち、上記構成の干渉片付きフレキシブルフラットケーブルは、表裏反転させないで下面側（片面側）から上面側（反対面側）に凸湾曲させて両端の端子部１ｄ，１ｄをコネクタに正しく挿入する場合には、図５の（ａ）に示すように、一対の干渉片２，２が凸湾曲するフレキシブルフラットケーブル１の外周側へ突き出して双方の干渉片２，２の先端部２ａ，２ａが大きく離反し、互いに干渉しないため、フレキシブルフラットケーブル１を容易に凸湾曲させて両端の端子部１ｄ，１ｄをコネクタ３，３に挿入することができる。
【００２５】
けれども、誤ってフレキシブルフラットケーブル１を表裏反転させて上面側（反対面側）から下面側（片面側）に凸湾曲させながら両端の端子部１ｄ，１ｄをコネクタに挿入しようとすると、図５の（ｂ）に示すように、一対の干渉片２，２が凸湾曲するフレキシブルフラットケーブル１の内周側へ突き出して双方の干渉片２，２の先端部２ａ，２ａが接近し、凸湾曲させる途中で双方の凹凸形状の先端部２ａ，２ａが互いに噛み合って強く干渉し、フレキシブルフラットケーブル１をそれ以上に凸湾曲させ難くなるため、両端の端子部１ｄ，１ｄをコネクタ３，３に挿入する作業がし辛くなる。
【００２６】
このように、本発明の干渉片付きフレキシブルフラットケーブルは、誤ってフレキシブルフラットケーブル１を表裏反転させて凸湾曲させようとすると、一対の干渉片２，２の先端部２ａ，２ａが干渉して凸湾曲を妨げるので、作業者はフレキシブルフラットケーブル１が表裏反転していることに気付き、端子部１ｄ，１ｄをコネクタ３，３に誤挿入しなくなる。従って、誤挿入に起因した機器類の故障を激減させることができる。
【符号の説明】
【００２７】
１    フレキシブルフラットケーブル
１ａ  線状導体
１ｄ  端子部
２    干渉片
２ａ  干渉片の先端部
２ｂ  干渉片の基部
３    コネクタ
【図１】
2012190723.tif 000003
【図２】
2012190723.tif 000004
【図３】
2012190723.tif 000005
【図４】
2012190723.tif 000006
【図５】
2012190723.tif 000007
【図６】
2012190723.tif 000008